(57)【要約】【課題】  二重床を構成する室内全体の温度分布を均一にするとともに任意の温度、風量にし、さらに吹き出し口を室内空間内に設けることなく、床上を自由に利用できる室内空調システムを提供すること。【解決手段】  複数の開口を有するパネル本体８と、該パネル本体８の下面側から開口の少なくとも一部を塞ぐように設けられたファンケーシング９と、該ファンケーシング９に収容され、前記パネル本体８の下面側から塞がれた開口の一部より吸入した床上の空気を他の開口より吹き出させるファン４とを備えることを特徴とする。【選択図】    図１
2006046671.tif 000002
【特許請求の範囲】
【請求項１】
複数の開口を有するパネル本体と、
該パネル本体の下面側から前記複数の開口の少なくとも一部を塞ぐように設けられたファンケーシングと、
該ファンケーシングに収容され、前記ファンケーシングの内部と床上とを連通させる開口の一部より床上の空気を吸入して他部より床上に吹き出させるファンとを備えることを特徴とするファン内蔵二重床パネル。
【請求項２】
前記ファンケーシングには、その内部と床下空間とを連通させる吸気口が形成されていることを特徴とする請求項１記載のファン内蔵二重床パネル。
【請求項３】
前記吸気口の開口量を調節する機構を設けたことを特徴とする請求項２記載のファン内蔵二重床パネル。
【請求項４】
前記パネル本体には、前記ファンケーシングの外側部分の床下空間と床上とを連通させる開口が形成されていることを特徴とする請求項１から３のいずれかに記載のファン内蔵二重床パネル。
【請求項５】
前記ファンを複数備え、各ファンに対応して形成された各々の前記吸気口を選択的に塞ぐことができるファン封塞蓋を着脱可能に設けたことを特徴とする請求項２又は３に記載のファン内蔵二重床パネル。
【請求項６】
前記ファンを回転軸が水平となるように設置したことを特徴とする請求項１から５のいずれかに記載のファン内蔵二重床パネル。
【請求項７】
開口パネルと、ファンをファンケーシングに収容してなるファンユニットとを備え、前記ファンユニットが係合手段を介して前記開口パネルに取り付けられてなるファン内蔵二重床パネル。
【請求項８】
床下に内部空間を形成する二重床上に空気調和装置を備え、この空気調和装置から吹き出された床下の空気が前記内部空間を流動するとともに、前記二重床の表面に設けられた床上排気口から室内に吹き出され、室内の上方を流動して空気調和装置に再び
吸引される室内空調システムにおいて、
前記二重床を構成するパネルの少なくとも一部に請求項１から７のいずれかに記載のファン内蔵二重床パネルを用いたことを特徴とする室内空調システム。
【請求項９】
床下に空間を形成する二重床上に空気調和装置を備え、この空気調和装置から吹き出された床下の空気が床下の空間を流動するとともに、前記二重床の表面に設けられた床上排気口から室内に吹き出され、室内の上方を流動して空気調和装置に再び吸引される室内空調システムにおいて、
前記二重床は、複数の通信機器を備える通信機械室または電算機室内の二重床であり、この二重床を構成するパネルの少なくとも一部に、請求項１から７のいずれかに記載のファン内蔵二重床パネルを用いたことを特徴とする室内空調システム。
【発明の詳細な説明】
【技術分野】
【０００１】
本発明は、ファン内蔵二重床パネル及びこれを備えた室内空調システムに関するものである。
【背景技術】
【０００２】
今日、オフィス等において、ＯＡ機器や通信装置等の普及が進み、それらを多く備えた室内の空気調和設備として、床下に内部空間を有する二重床を形成し、その内部空間に調和空気を供給して床面に設けた複数の床吹出し口から室内に吹き出す方式が多く用いられている。
しかし、空気調和装置から吹き出された冷気は、床吹出し口の配置場所によって風量に差が生じる。つまり、床吹出し口が空気調和装置から遠いほど、そこから吹き出される冷気の勢いは弱まり、まず二重床面上の水平方向において温度差が生じてしまう。このような傾向は、室内空間が広いほど顕著となる。
さらに、冷気は暖気に比べて比重が重いため、二重床面上付近に溜まりやすく、暖気は室内の上方に溜まりやすい。そのため、冷気が床上に滞留してしまい、室内の温度分布が不均一となってしまう問題がある。このような場合、室内にいる人々に不快感を与えたり、通信装置等に不具合を生じさせる原因となりかねない。
【０００３】
このような室内の温度分布を均一化するためには、室内の空気を撹拌させる必要がある。そのため、室内に空気撹拌機を備え付けることが考えられる。例えば、特許文献１においては、上方に吹出し口、下方に吸込み口を設けた本体の内部に軸流ファンを収納し、吸込み口の開口部を床面から所定の高さ位置とするように、本体外周部の複数箇所に据付脚を取り付けることにより、床面付近の空気を吸入して室内上方部に向かって吹き出すようにしているため、室内の高さ方向の温度分布を均一化して室内環境を快適にすることができる。また、床置き式の空気撹拌機であるため、設置場所を容易に変更することが可能となっている。
【０００４】
一方、調和空気に吸入室内空気を混合し、これを室内に供給することにより、室内の温度分布を均一化する方法もある。例えば特許文献２においては、導入された室内空気と熱交換して、この室内空気を冷却もしくは加熱する熱交換手段と、この熱交換手段によって搬送された熱交換空気を天井部または床部より吹き出される吹出し部と、吹き出し部周辺の室内空気を導いて混合させる混合案内手段とを具備しており、冷暖房時において、適宜吹き出し空気の温度を調節するとともに風量と風速を増加させることができるので、室内上下部の温度差を小さくすることができる。さらに、特許文献３のように、床下の冷却用空気を室内に吹き出すファンユニット装置も知られている。
【特許文献１】特開２００４−６０８９４号公報
【特許文献２】特開２０００−１４６２７５号公報
【特許文献３】特開２００１−２７２０９１号公報
【発明の開示】
【発明が解決しようとする課題】
【０００５】
しかしながら、特許文献１においては、床置き型のため、床上空間が自由に利用できない。
また、特許文献２においては、室内の温度分布を均一にすることは可能であるが、室内にいる人々に不快感を与えないよう配慮しているため、上述したような通信装置等を備える室内においては、必ずしも好適とは言えない。つまり、上方に溜まった暖気を下に吹き下ろす方式のため、冷風が必要な通信機器等には不向きである。
さらに、特許文献３においては、二重床内の冷気を多く吹き出すことにより、ファンユニットを用いていない箇所への冷気の供給が減ったり、場合によっては、床下へ逆流してしまう可能性がある。
このように、室内に冷気を効率よく供給するとともに、あらゆる環境及び広さに合わせて空気を滞留させることなく、さらに床下空間の有効利用を阻害することなく、室内全体の温度差、特に上下部の温度分布不均一の解消を図るための方法が求められている。
【０００６】
本発明は、このような事情を考慮してなされたもので、ファンで吹くことによって二重床の上に滞留している冷気を上昇させることにより、空気調和装置のエネルギーを低減し、且つ床上を自由に利用できる室内空調システムを提供することを目的とする。
【課題を解決するための手段】
【０００７】
本発明は、上記課題を解決するため、以下の手段を採用する。
すなわち本発明は、複数の開口を有するパネル本体と、該パネル本体の下面側から前記複数の開口の少なくとも一部を塞ぐように設けられたファンケーシングと、該ファンケーシングに収容され、前記ファンケーシングの内部と床上とを連通させる開口の一部より床上の空気を吸入して他部より床上に吹き出させるファンとを備えることを特徴とする。
このような構成によれば、二重床の内部にファンを備えることにより、床上を自由に利用することができる。また、各パネルの配置を変えることにより、室内の空調状態に応じた吹き出し量の設定が可能となる。
【０００８】
また、請求項２記載の発明は、請求項１記載の発明において、
前記ファンケーシングには、その内部と床下空間とを連通させる吸気口が形成されていることを特徴とする。
このような構成によれば、床下を流れる空気をファンケーシングの内部に吸い込むことができるので、床上から吸引された空気と混合させて吹き出すことができる。
【０００９】
また、請求項３記載の発明は、請求項２記載の発明において、前記吸気口の開口量を調節する機構を設けたことを特徴とする。
このような構成によれば、床上の空気と床下の空気との混合比を変化させることが可能になる。
【００１０】
また、請求項４記載の発明は、請求項１から３のいずれかに記載の発明において、前記パネル本体には、前記ファンケーシングの外側部分の床下空間と床上とを連通させる開口が形成されていることを特徴とする。
このような構成によれば、通常用いられている開口パネルに代えて本発明のファン内蔵二重床パネルを敷設した箇所においても、この二重床パネルから床下の空気を室内に吹き出すことが可能となる。
【００１１】
また、請求項５記載の発明は、請求項２又は３に記載の発明において、
前記ファンを複数備え、各ファンに対応して形成された各々の前記吸気口を選択的に塞ぐことができるファン封塞蓋を着脱可能に設けたことを特徴とする。
このような構成によれば、ファンの運転個数を可変とすることにより、風量を制御することができる。さらに床下の空気を吸い込む割合も調節することができる。また、複数設置されたファンを床上の空気を吸引して床上に吹き出すファンと、床下の空気を吸引して床上に吹き出すファンとに分けて運転させることが可能となる。
【００１２】
また、請求項６記載の発明は、請求項１から５のいずれかに記載の発明において、
前記ファンを回転軸が水平となるように設置したことを特徴とする。
このような構成によれば、パネル本体に形成された開口からの異物がファンに混入しにくくなる。
【００１３】
また、請求項７記載の発明は、開口パネルと、ファンをファンケーシングに収容してなるファンユニットとを備え、前記ファンユニットが係合手段を介して前記開口パネルに取り付けられてなることを特徴とする。
【００１４】
このような構成によれば、様々な既存の開口パネルの有効利用が可能となる。また、ファンユニットが容易に取り外し可能となるため、開口パネル内における必要な箇所への移動を手間を掛けることなく行うことができる。
【００１５】
また、請求項８記載の発明は、床下に内部空間を形成する二重床上に空気調和装置を備え、この空気調和装置から吹き出された床下の空気が前記内部空間を流動するとともに、前記二重床の表面に設けられた床上排気口から室内に吹き出され、室内の上方を流動して空気調和装置に再び吸引される室内空調システムにおいて、前記二重床を構成するパネルの少なくとも一部に請求項１から７のいずれかに記載のファン内蔵二重床パネルを用いたことを特徴とする。
【００１６】
このような構成によれば、二重床の上に滞留している冷気を上昇させることができるため、冷気の滞留を解消するとともに、室内を撹拌しながら室内上下部の温度差を均一にすることができる。また、空気調和機から遠い場所であっても、風量の低下や室内の冷気を内部空間に吸い込んでしまう逆流現象を防ぐことができる。
【００１７】
また、請求項９記載の発明は、床下に内部空間を形成する二重床上に空気調和装置を備え、この空気調和装置から吹き出された床下の空気が前記内部空間を流動するとともに、前記二重床の表面に設けられた床上排気口から室内に吹き出され、室内の上方を流動して空気調和装置に再び吸引される室内空調システムにおいて、前記二重床は、複数の通信機器を備える通信機械室または電算機室内の二重床であり、この二重床を構成するパネルの少なくとも一部に、請求項１から７のいずれかに記載のファン内蔵二重床パネルを用いたことを特徴とする。
【００１８】
このような構成によれば、熱を発する通信機器等に向けて集中的に送風することができ、上部においても冷気を供給することができる。
【発明の効果】
【００１９】
請求項１記載の発明によれば、床上を自由に利用することができるので、室内を有効に活用することができる。
また、各パネルの配置を変えることにより、室内の空調状態に合わせて、風量の少ない場所や空気の滞留しやすい場所等に集中して空気を送風することが可能になるので、温度分布の均一化が容易となる。
【００２０】
請求項２記載の発明によれば、床上の空気があまり冷たくない場合において、床内の冷気を混合させることにより、床内の空気を吸い上げ過ぎることなく、適した温度の空気を吹き上げることができる。
【００２１】
請求項３記載の発明によれば、床上の空気と床下の空気との混合比を変化させることができるので、吹き出す空気の温度を容易に調節することが可能となり、室内の環境を好適に保つことができる。
【００２２】
請求項４記載の発明によれば、既存の開口パネルと同等の効果を併せ持つことができ、床下からの冷気を適正に供給しながら、床直上に滞留した冷気を上部に吹き上げることができる。
【００２３】
請求項５記載の発明によれば、設置する場所によって床上の空気と床下の空気との混合率を容易に変化させることができ、室内の状況に合わせた風量の給気が可能となる。
【００２４】
請求項６記載の発明によれば、ファンへの異物の混入を防ぐことができ、これによるファンの故障を防ぐことができる。
【００２５】
請求項７記載の発明によれば、様々な既存の開口パネルを利用して室内の上下部の温度を均一にすることができる。
【００２６】
請求項８記載の発明によれば、床下の圧力を低下させることなく室内の上下の温度分布を均一にすることができ、且つ床上を自由に利用することができる。
【００２７】
請求項９記載の発明によれば、通信機器等の上部が高温となっている場合において、床下の圧力を低下させることなく冷気を送ることができ、且つ床上を自由に利用することができる。
【発明を実施するための最良の形態】
【００２８】
以下、本発明の実施の形態について、図面を参照して説明する。
図１２は、通信機械室３２または電算機室における室内空調システムを示しており、基礎床面３０の上方にファン内蔵二重床パネル５と開口パネル７とが敷設され、いわゆる二重床２が形成されている。この二重床下空間（以下、二重床下チャンバ１と称する）に、空調用空気（冷却用空気）を通したり、機器の配線ケーブルを通すことが可能となっている。
二重床２上には、空気調和装置３と、通信機器またはＯＡ機器が収容され前面から吸気して上面または背面から排気する複数のラック３１とが設置されている。そして、複数のラック３１が並列に配置されてなるラック群が通路を挟んでその両側に設置され、この通路を構成している床面は、通気口を有しない二重床パネルと、ファン内蔵二重床パネル５と、それ以外の部分に敷設された開口パネル７とからなっている。
【００２９】
そして、空気調和装置３は、通信機械室３２の室内の空気を上部吸入口から吸い込んで冷却し、その冷却後の空気（冷気）は冷却用空気として下部吹出口から送出され、二重床２を通して二重床下チャンバ１に供給される。二重床下チャンバ１に供給された冷却用空気は、二重床下チャンバ１内を流動し、二重床２の通気口を通して通信機械室３２内に供給され、ラック３１に吸い込まれて内部の機器を冷却し、温まった空気はラック３１から通信機械室３２内に排気され、再び空気調和装置３に吸い込まれる。
また、床上に滞留している床上の空気（以下、冷気と称する）は、後述するファン内蔵二重床パネルによって上方に吹き上げられ、これにより、室内上下部に生じた温度差は解消される。
【００３０】
図１及び図２は、本発明に係るファン内蔵二重床パネルの第１の実施の形態を示す。
このファン内蔵二重床パネル５は、室内の冷気を吸入し、再び室内に供給するもので、図１または図２に示すように、床パネル本体（パネル本体）８にファンケーシング９が組み込まれて構成されている。前記床パネル本体８には、床上に滞留している冷気を二重床パネルの内部空間２５に吸引するための開口（以下、床上吸気用スリット１０と称する）と、吸入した床上の空気を吹き出させる他の開口（以下、床上排気口１４と称する）とが形成され、ファンケーシング９は、冷気の吸引排出手段となるファン４を搭載している。
【００３１】
床パネル本体８は、図２に示すように、下面に開口を有する長方形箱状に形成されている。すなわち縦断面形状を凹状とし、その凹部８ａを下方に向けた状態にして基礎床面３０の上方に設置される。そして、床パネル本体８の長手方向両端部には、より端部側に配された前記床上排気口１４と、この床上排気口１４よりも床パネル本体８の中央側に配された前記床上吸気用スリット１０とがそれぞれ設けられている。
【００３２】
前記床上排気口１４は、床パネル本体８にその下面側から床上排気口１４を塞ぐようにファンケーシング９を取り付けたときに、その内部に備えられたファン４の丁度真上、つまりファンケーシング９の内部と床上とを連通させる位置に形成されている。
【００３３】
床上吸気用スリット１０は、例えば複数の長方形貫通穴３４よりなり、その長手方向を床パネル本体８の長手方向と平行させた状態で、床パネル本体８の幅方向に沿って一列に配置させてなる。また、床上排気口１４からは適宜離間させ、後に組み付けられるファンケーシング９の範囲内となるような位置、つまりファンケーシング９の内部と床上とを連通させる位置に形成されている。
尚、上記床上吸気用スリット１０は、長方形である必要はなく丸いパンチ孔等、開口であれば形状は問わない。また、床パネル本体８への配置の仕方も上記に限ったものではない。
【００３４】
ファンケーシング９は、上面に開口を有する箱状に形成され、長方形をなす底面９ａの縦横の寸法は、床パネル本体８に形成されている床上排気口１４と床上吸気用スリット１０とを覆う程度の長さとする。そして、底面９ａの長手方向の一方に寄せるようにファン４が備え付けられている。前記ファン４は、支持枠４ａ内に収容され、支柱４ｂを介して底面９ａに固定されている。そして、ファン４への異物混入を防止するためのファンガード（図示略）が設けられている。
【００３５】
そして、床パネル本体８の両端部の凹部８ａ側にファンケーシング９を組み込んで固定する際には、互いの長手方向を平行にし、ファンケーシング９の開口側を凹部８ａに固定する。このとき、ファンケーシング９内に備えられたファン４が、それぞれ床パネル本体８の端部側にくるようにする。
【００３６】
開口パネル７は、床パネル本体８本体の略全域に開口７ａを有してなる、従来より公知のものである。そして、前記開口７ａにより、室内と二重床下チャンバ１を連通させることができるので、床下の冷却用空気を室内に吹き出すことができる。
【００３７】
次に、上記の構成からなるファン内蔵二重床パネル５及びこれを備えた室内空調システムの作用について説明する。
空気調和装置３によって冷却された冷却用空気は、図１、２、１２に示すように、開口パネル７の開口７ａから室内に排出され、ラック３１に吸い込まれて内部の機器を冷却し、温まった空気は、再び空気調和装置３に吸引される。ここで、ファン内蔵二重床パネル５の内部に設けられたファン４を運転させると、床上に滞留している冷気が床上吸気用スリット１０から吸引され、ファン内蔵二重床パネル５の内部空間２５を介し、床上排気口１４を経て室内上方に向かって排出される。排出された冷気はラック３１内に吸引され、通信機器等を冷却しつつ該通信機器等を冷却することによって熱を帯びた暖気となってラック３１より排出される。この暖気は、天井を流動して室内に備えられた空気調和装置３に吸引される。
【００３８】
このような構造のファン内蔵二重床パネル５によれば、二重床２上の冷気を吸引し、床上排気口１４より室内上方に向かって吹き出すことで、上部まで冷気を送ることが可能となる。これにより、空気調和装置３が供給する風量や冷房能力を低減することができ、エネルギーの削減に繋がる。
【００３９】
図３は、本発明におけるファン内蔵二重床パネルの第２の実施の形態を示す。
以下、上記第１実施形態と同一構成要素には同一符号を付してその説明を省略し、相違点を中心に説明する。
第２実施形態のファン内蔵二重床パネル５１は、ファンケーシング９の底面９ａに床下吸気用スリット（吸気口）２７を形成してなる。本実施形態においては、床上吸気用スリット１０よりも、さらに床パネル本体８の中央側に第２の床上吸気用スリット２０を形成している。ただし、本実施形態の図３に示すように、床下吸気用スリット２７よりも床上吸気用スリット１０、２０が必ずしも多い必要はなく、床上吸気用スリット１０、２０と床下吸気用スリット２７のバランスは、どちらから多くの空気を取り込みたいかによって変わるので、適宜選択することが可能となっている。
【００４０】
第２の床上吸気用スリット２０は、床上吸気用スリット１０と同様の構成とし、互いに平行させて２列に設けられている。具体的には、複数の長方形貫通穴２０ａよりなり、長方形貫通穴２０ａの長手方向を床パネル本体８の長手方向と平行させた状態で、床パネル本体８の幅方向に、適宜個数、一列に配置させてなる。また、床上吸気用スリット１０からは適宜離間させ、尚且つ後に組み付けられるファンケーシング９の範囲内となるような位置に形成されている。
【００４１】
そして、ファンケーシング９には、ファン４が底面９ａの片側（一方）に寄せて設けられているのに対し、他側（他方）には床下吸気用スリット２７が形成されている。床下吸気用スリット２７は、上述した床上吸気用スリット１０と同様に、複数の長方形貫通穴２７ａよりなり、その長手方向をファンケーシング９の長手方向と平行させた状態で、床パネル本体８の幅方向に、適宜個数、一列に配置させてなる。また、ファン４からは適宜離間させて設けられている。
【００４２】
次に、上記の構成からなるファン内蔵二重床パネル５１の作用について説明する。
第１実施形態と同様、ファン４を運転させると、床上の冷気は床上吸気用スリット１０及び第２の床上吸気用スリット２０からファン内蔵二重床パネル５１の内部空間２５に吸引される。このとき、床下吸気用スリット２７からは冷却用空気が吸引され、ケーシング９内のファン４の上方で冷気と混合させて床上に排出される。
【００４３】
このような構造のファン内蔵二重床パネル５１によれば、床下吸気用スリット２７を設けたことにより、床上の空気があまり冷たくない場合においても、二重床下チャンバ１内の冷気を混合させることにより、二重床下チャンバ１内の空気を吸い上げ過ぎることなく、適した温度の空気を吹き上げることができる。
【００４４】
上記第２実施形態の変形例として、図４に示すように、床下吸気用スリット２７の開口量を調節できるような第１スライド板１６を設けてもよい。前記第１スライド板１６は、床下吸気用スリット２７を完全に塞ぐことのできるような形状からなり、例えばファンケーシング９の裏面９ｂに取り付けられたレール等（図示略）を介して、図４の矢印で示すように裏面９ｂに沿って開閉可能に設けられている。
或いは、他の変形例として、図５に示すように第２スライド板１７を床パネル本体８に設けてもよい。この第２スライド板１７は、上記床上吸気用スリット１０及び第２の床上吸気用スリット２０を一度に塞ぐことができるような外形寸法に形成されており、床パネル８の上面８ｂに沿うようにして、例えば上記変形例と同様に設けられている。前記スライド板１７は、図５の矢印で示すように左右にスライドさせて開閉を行う。
【００４５】
図６及び図７は、本発明におけるファン内蔵二重床パネルの第３の実施の形態を示す。以下、上記第１実施形態と同一構成要素には同一符号を付してその説明を省略し、相違点を中心に説明する。
第３実施形態のファン内蔵二重床パネル５２において、ファンケーシング９が取り付けられていない床パネル本体８の中央部分には、床上吸気用スリット１０を間に介在させて、床上排気口１４とは逆側に開口（以下、床上排気用スリット１１と称する）が設けられている。
【００４６】
この床上排気用スリット１１は、前記床上吸気用スリット１０と同様、複数の長方形貫通穴１１ａよりなり、その長手方向を床パネル本体８の長手方向と平行させた状態で、床パネル本体８の長手方向及び幅方向に、複数配列させてなる。そして、この床上排気用スリット１１は、前記ファンケーシング９の外側部分の二重床下チャンバ１と室内とを連通させるような機能を果たす。
【００４７】
次に、上記の構成からなるファン内蔵二重床パネル５２の作用について説明する。
図７に示すように、床上に滞留している冷気は、床上吸気用スリット１０からファン４によって吸引され、再び室内へ排出される。そして、床上排気用スリット１１からは、二重床下チャンバ１を流れる冷却用空気が、空気調和装置３から吹き出された勢いによって床上に排出される。
このような構造のファン内蔵二重床パネル５２によれば、開口パネル７としての機能も併せ持っているので、通常用いられている開口パネルに代えて、このファン内蔵二重床パネル３２を敷設した箇所においても、このファン内蔵二重床パネル５２から床下の空気を室内に吹き出すことが可能となる。
【００４８】
図８は、本発明におけるファン内蔵二重床パネルの第４の実施の形態を示す。
以下、上記第１実施形態と同一構成要素には同一符号を付してその説明を省略し、相違点を中心に説明する。
第４実施形態のファン内蔵二重床パネル５３は、ファンケーシング９内にファン４を複数（図８では４つ）備え、底面９ａには各ファン４に対応して床下吸気口（吸気口）１５が形成されている。さらに、床パネル本体８にも各ファン４に対応して床上排気口１４が形成されている。
例えば、ファン４は小型のものを用い、図８に示すように縦横並列に備えられている。また、ファンケーシング９の底面９ａには、床下吸気口１５を選択的に塞ぐことができる着脱可能なファン封塞蓋１３が設けられ、それぞれビス等により固定されるようになっている。
【００４９】
次に、上記の構成からなるファン内蔵二重床パネル５３の作用について説明する。
ファン４を運転させると、ファン封塞蓋１３によって床下吸気口１５が塞がれたファン４は、床上吸気用スリット１０から床上の冷気を吸引する一方、前記ファン封塞蓋１３が設けられていないファン４は、二重床下チャンバ１を流れる冷却用空気を床下吸気口１５から吸引し、これらは床上排気口１４を経て床上へ勢いよく吹き出される。このとき、床下から吸引した冷却空気の一部は、床上から吸引した冷気と混合されて吹き出される。
【００５０】
このような構造のファン内蔵二重床パネル５３によれば、床下から冷却用空気を吸引するファン４と、床上から冷気を吸引するファン４とに分けることができるので、それらの混合率を変化させることができる。これにより、室内に排気される空気の温度を調節することができる。
尚、ファン封塞蓋１３は、各々の床下吸気口１５を個別に塞ぐものとしたが、一度に複数塞ぐことのできる蓋であってもよい。
【００５１】
図９及び図１０は、本発明におけるファン内蔵二重床パネルの第５の実施の形態を示す。以下、上記第１実施形態と同一構成要素には同一符号を付してその説明を省略し、相違点を中心に説明する。
第５実施形態のファン内蔵二重床パネル５４においては、ファン４をその回転軸が水平となるように設置し、ファン４を介した回転軸方向（吸排気方向）の前後の床パネル本体８に床上吸気用スリット１０及び床上排気用スリット１１が形成されている。
【００５２】
図９に示すように、ファン４は、ファンケーシング９の略中央に、例えば２つのファン４を床パネル本体８の幅方向に並列させて設けられている。これらファン４はともに回転軸が水平且つ床パネル本体８の端面に対して垂直となるように設けられている。
図１０に示すように、ファン４の運転によって、床上の冷気は床上吸気用スリット１０からファン内蔵二重床パネル５４の内部空間２５に吸引され、端部側に向けて押し出される。ファンケーシング９の壁面に衝突した冷気は、床パネル本体８に形成された床上排気用スリット１１から床上に排気される。
【００５３】
このような構造のファン内蔵二重床パネル５４によれば、ファン４が横向きに設置されるので、ファン４を上向きに設置した場合と比較して床上からの異物が混入し難くなり、それによる故障を防ぐことができる。また、ファンガードの目を細かくする必要もないので、風量の低下を防止できる。
尚、ファン４はシッコロファンを用いてもよい。
【００５４】
図１１は、本発明におけるファン内蔵二重床パネルの第６の実施の形態を示す。
以下、上記第１実施形態と同一構成要素には同一符号を付してその説明を省略し、相違点を中心に説明する。
第６実施形態のファン内蔵二重床パネル５５は、ファン４及びファンケーシング９をユニット化し、このファンユニット４０が従来使用されている公知の開口パネル７に種々の係合手段を介して後付けされてなるものである。
この場合、開口パネル７の略全域にわたって形成された開口７ａのうち、ファン４の上方に位置する開口７１ａが上記実施形態における床上排気口として機能し、その周辺の開口７２ａが上記実施形態における床上吸気口として機能し、さらにその他の開口７３ａが上記実施形態における床上排気用スリットとして機能する。
【００５５】
このような構造のファン内蔵二重床パネル５５によれば、ファン４の設置位置を自由に変更することができ、さらにあらゆるタイプの開口パネル７に対応することができる。
尚、ファン４を内蔵したファンケーシング９は、例えば開口パネル７を構成している帯板７ｂをクリップ（係合手段）のようなもので挟みこんで設置される。この場合、クリップの先端内側に、滑り止め又は面圧を上げるための凸部を形成し、開口パネル７からの離脱を防止できるようにしておくことが好ましい。或いは、ファン４の支持枠４ａ両側にＬ字状の設置金具（係合手段）を設け、帯板７ｂに引っ掛けるように固定してもよい。或いは、ファンケーシング９の下部に伸縮自在な脚を設けることにより、開口パネル７と、基礎床面３０上に載置したファンケーシング９とを密着させるような機構としてもよい。
【００５６】
尚、この発明は上述した実施の形態に限られるものではなく、例えば、このファン内蔵二重床パネルは、空調を必要とする室内であれば、上記以外の室内に設けられてもよい。例えば、図１３に示すようにオフィス３３内に設けてもよく、その場合、冷気が滞留している箇所に敷設することが望ましいが、人に直接風が当たって不快に思わせることがない位置に敷設することが重要である。また、この発明は上記各実施の形態の構成を組み合わせてもよい。
【００５７】
さらに、ファン４の風量を可変制御してもよい。この場合、各ファン４の風量を変化させたり、複数個のファン４を備えた形態（例えば、図８）においてはファン４の運転台数を変えることにより風量を変化させることができる。
また、本発明のファン内蔵二重床パネルは、平面視長方形のものに限らず、例えば図１４に示すように平面視正方形のものでもよい。
【００５８】
さらに図１５に示すように、複数のファン４及び床上吸気用スリット１０を床パネル本体８の長手方向に沿って設けてもよい。このとき、床上吸気用スリット１０とファン４は上下方向に重ならないように設けてもよい。このような構成によれば、より多くの冷気を吸引することができ、ファン能力をさらに向上させることができる。
さらに、各々のファン４に対応させて床下吸気口１５及びそれを塞ぐファン封塞蓋１３を設けてもよく（図１５）、この場合は上記第４実施形態と同様、混合率を変化させることができるほか、冷気を吸引するファン４と冷却用空気を吸引するファン４をより確実に分けることが可能となり、空調効果の向上が図ることができる。
【図面の簡単な説明】
【００５９】
【図１】本発明における第１実施形態に係るファン内蔵二重床パネルを示す図である。
【図２】本発明における第１実施形態に係るファン内蔵二重床パネルの斜視図である。
【図３】本発明における第２実施形態に係るファン内蔵二重床パネルを示す図である。
【図４】本発明における第２実施形態に係るファン内蔵二重床パネルの変形例を示す図である。
【図５】本発明における第２実施形態に係るファン内蔵二重床パネルの他の変形例を示す図である。
【図６】本発明における第３実施形態に係るファン内蔵二重床パネルを示す図である。
【図７】本発明における第３実施形態に係るファン内蔵二重床パネルの斜視図である。
【図８】本発明における第４実施形態に係るファン内蔵二重床パネルを示す図である。
【図９】本発明における第５実施形態に係るファン内蔵二重床パネルを示す図である。
【図１０】本発明における第５実施形態に係るファン内蔵二重床パネルの斜視図である。
【図１１】本発明における第６実施形態に係るファン内蔵二重床パネルを示す図である。
【図１２】本発明における室内空調システムの一実施形態を示した斜視図である。
【図１３】本発明における室内空調システムの他の実施形態を示した斜視図である。
【図１４】本発明におけるファン内蔵二重床パネルのさらに他の実施形態を示す図である。
【図１５】本発明におけるファン内蔵二重床パネルのさらに他の実施形態を示す図である。
【符号の説明】
【００６０】
１    床下空間（二重床下チャンバ）
２    二重床
３    空気調和装置
４    ファン
５、５１、５２、５３、５４、５５  ファン内蔵二重床パネル
７    開口パネル
８    パネル本体（床パネル本体）
９    ファンケーシング
１０  開口の一部（床上吸気用スリット）
１３  ファン封塞蓋
１４  開口の他部（床上排気口）
３１  通信機械室
４０  ファンユニット
【図１】
2006046671.tif 000003
【図２】
2006046671.tif 000004
【図３】
2006046671.tif 000005
【図４】
2006046671.tif 000006
【図５】
2006046671.tif 000007
【図６】
2006046671.tif 000008
【図７】
2006046671.tif 000009
【図８】
2006046671.tif 000010
【図９】
2006046671.tif 000011
【図１０】
2006046671.tif 000012
【図１１】
2006046671.tif 000013
【図１２】
2006046671.tif 000014
【図１３】
2006046671.tif 000015
【図１４】
2006046671.tif 000016
【図１５】
2006046671.tif 000017